(57)【要約】【課題】大型の装飾体を狭いスペースに設けることができるとともに、ダイナミックな演出により遊技性を増大させる遊技機用可動演出装置を提供する。【解決手段】第１基部材５４ａと第２基部材５４ｂとを開閉自在に枢着し、第１基部材および第２基部材の前面に円弧状軌道７１ａ，７１ｂを介設することにより第１装飾体６０ａおよび第２装飾体６０ｂを回転可能に配設し、第１基部材５４ａと第２基部材５４ｂとを閉状態としたときに円弧状軌道７１ａ，７１ｂが環状に連なることで第１装飾体６０ａと第２装飾体６０ｂとが閉状態にて第１基部材５４ａの前面および第２基部材５４ｂの前面にて周回し得るようにする。【選択図】図１２
2015144707.tif 000002
【特許請求の範囲】
【請求項１】
一平面上にて接離自在なるように配設された第１基部材と第２基部材と、前記第１基部材と第２基部材とを接離させる第１電気的駆動源と、前記第１基部材の前面に円弧状軌道を介設することにより回転可能に配設された第１装飾体と、前記第１装飾体を回転動させる第２電気的駆動源と、前記第１装飾体と同一平面上にて接離自在なるように配設されていて前記第２基部材の前面に円弧状軌道を介設することにより回転可能に配設した第２装飾体とを具備し、前記第１電気的駆動源を作動させ前記第１基部材と第２基部材とを合着させることで前記円弧状軌道が環状に連なるとともに前記第１装飾体と第２装飾体とが合着状態となることで該第１装飾体と第２装飾体とが合着状態にて前記第２電気的駆動源の作動により前記第１基部材の前面および第２基部材の前面に亘って周回するようにしたことを特徴とする遊技機用可動演出装置。
【請求項２】
一平面上にて開閉自在なるように枢着された第１基部材と第２基部材と、前記第１基部材と第２基部材とを開閉動させる第１電気的駆動源と、前記第１基部材の前面に円弧状軌道を介設することにより回転可能に配設された第１装飾体と、前記第１装飾体を回転動させる第２電気的駆動源と、前記第１装飾体と同一平面上にて開閉自在なるように互いに枢着されていて前記第２基部材の前面に円弧状軌道を介設することにより回転可能に配設された第２装飾体とを具備し、前記第１装飾体と第２装飾体との枢着軸を前記第１基部材と第２基部材との枢着軸の前方延長線上に位置させることで前記第１装飾体と第２装飾体とが前記第１基部材と第２基部材と伴に開閉動し得るようにするとともに、前記第１基部材と第２基部材とを閉状態としたときに前記円弧状軌道が環状に連なることで前記第２電気的駆動源の作動により前記第１装飾体と第２装飾体とが閉状態にて前記第１基部材の前面および第２基部材の前面に亘って周回するようにしたことを特徴とする遊技機用可動演出装置。
【請求項３】
第１基部材と第２基部材とが開閉自在に枢着される幹基部材と、第１装飾体と第２装飾体とが開閉自在に枢着される幹装飾体とを具備したことを特徴とする請求項２に記載した遊技機用可動演出装置。
【発明の詳細な説明】
【技術分野】
【０００１】
本発明は、パチンコ遊技機、雀球遊技機、アレンジボール遊技機、等の遊技機に設けられ、遊技者が見られる領域にて特有の動きをすることで、遊技性を向上させる可動演出装置に関するものである。
【背景技術】
【０００２】
例えばパチンコ遊技機のような近年の遊技機は、遊技盤面に設けられた大型の液晶表示装置に種々のキャラクターが表示されて大当たり等の演出が行われるほか、その表示と連動して種々の動きをする可動演出装置を設けたものが主流となっている。
下記特許文献１に示された遊技機用可動演出装置は、液晶表示装置の前面に出没動する回転ベースの外周に多数の可動フィンが放射状に設けられ、モータにより各可動フィンが突出動した後、該モータがそのまま回転し続けると、その突出状態にて回転ベースが回転するといった動作をするものである。
また、下記特許文献２に示された可動演出装置は、液晶表示装置の前面に両開きする一対の障子戸のように右シャッターと左シャッターが設けられ、両シャッターが閉じた状態にてその閉じ合わせ部にて右半月部と左半月部とからなる装飾体が当接し、該装飾体がモータによって回転動するようにしたものである。
【先行技術文献】
【特許文献】
【０００３】
【特許文献１】特開２０１１−１９７８４号公報
【特許文献２】特開２０１２−９５９０１号公報
【発明の概要】
【発明が解決しようとする課題】
【０００４】
ところで、遊技者にインパクトを与え得るような効果的な演出をするためには大型の可動演出装置が必要であり、しかも、その動きは斬新であることが求められるが、近年のパチンコ遊技機は、遊技盤面の大きさに制限があるのに対し、液晶表示装置の大型化が益々進んでいるために、上記のような可動演出装置の設置スペースは一層制限されるといった現状にある。そのため、大型の可動演出装置を設計、製作することが困難になってきている。
こうした観点から、上記特許文献１に示された遊技機用可動演出装置は、回転ベースを大径のものとすると、該回転ベースを液晶表示装置の隅に隠すことが困難となるので、小径に設計せざるを得ないという問題がある。
一方、特許文献２に示された遊技機用可動演出装置は、シャッターおよび回転装飾体が左右に分割された構造であるので、分離させれば液晶表示装置の両側に隠すことが可能であるが、特許文献２の段落［０１４８］〜［０１５２］および図１１〜図１３に示されたように、右半月部の軸部２０４ｂ１を右シャッター２０４ｂに支持する一方、左半月部の軸部６０６ａを左シャッターの前方に設けられた左クリアカバー６０６に支持することで、右半月部と左半月部とを当接させて回転させることを可能にした構造であるので、遊技者は該クリアカバーを通してしか左半月部または右半月部が回転する状況が見られない状況であり、このため、該クリアカバーの透明度に左右され回転する状況が見難くなるという問題があるとともに、こうした構造が遊技者によくわかる状況ともなるので、右半月部と左半月部とが当接して回転するといった動きに意外性が感じられず、遊技者に与えるインパクトが少ないという問題がある。また、回転装飾体は右半月部６０４の軸部２０４ｂ１と左半月部６０２の軸部６０６ａが前後方向に重なって同一軸になった時に係合される構造を採用していることから、前後方向の省スペース化を図ることはその構造上難しいという問題がある。
【課題を解決するための手段】
【０００５】
本発明は上記のような課題を解決し得る遊技機用可動演出装置を提供するもので、一平面上にて接離自在なるように配設された第１基部材と第２基部材と、前記第１基部材と第２基部材とを接離させる第１電気的駆動源と、前記第１基部材の前面に円弧状軌道を介設することにより回転可能に配設された第１装飾体と、前記第１装飾体を回転動させる第２電気的駆動源と、前記第１装飾体と同一平面上にて接離自在なるように配設されていて前記第２基部材の前面に円弧状軌道を介設することにより回転可能に配設した第２装飾体とを具備し、前記第１電気的駆動源を作動させ前記第１基部材と第２基部材とを合着させることで前記円弧状軌道が環状に連なるとともに前記第１装飾体と第２装飾体とが合着状態となることで該第１装飾体と第２装飾体とが合着状態にて前記第２電気的駆動源の作動により前記第１基部材の前面および第２基部材の前面に亘って周回するようにしたことを特徴とする。
また、本発明に係る遊技機用可動演出装置は、一平面上にて開閉自在なるように枢着された第１基部材と第２基部材と、前記第１基部材と第２基部材とを開閉動させる第１電気的駆動源と、前記第１基部材の前面に円弧状軌道を介設することにより回転可能に配設された第１装飾体と、前記第１装飾体を回転動させる第２電気的駆動源と、前記第１装飾体と同一平面上にて開閉自在なるように互いに枢着されていて前記第２基部材の前面に円弧状軌道を介設することにより回転可能に配設された第２装飾体とを具備し、前記第１装飾体と第２装飾体との枢着軸を前記第１基部材と第２基部材との枢着軸の前方延長線上に位置させることで前記第１装飾体と第２装飾体とが前記第１基部材と第２基部材と伴に開閉動し得るようにするとともに、前記第１基部材と第２基部材とを閉状態としたときに前記円弧状軌道が環状に連なることで前記第２電気的駆動源の作動により前記第１装飾体と第２装飾体とが閉状態にて前記第１基部材の前面および第２基部材の前面に亘って周回するようにしたことを特徴とする。
また、本発明は上記遊技機用可動演出装置において、第１基部材と第２基部材とが開閉自在に枢着される幹基部材と、第１装飾体と第２装飾体とが開閉自在に枢着される幹装飾体とを具備したことを特徴とする。
【発明の効果】
【０００６】
本発明によれば、遊技機内の狭いスペースにも大型の装飾体を配設することができ、ダイナミックな演出を可能にするとともに、装飾体が特有の動きをすることで遊技者に強い関心を与えられ、遊技機の遊技性、好趣を増大させる。
【図面の簡単な説明】
【０００７】
【図１】本発明に係る可動演出装置を設けた遊技盤の正面図。
【図２】図１のＡ−Ａ線断面図。
【図３】図１の可動演出装置の作動状態を示す遊技盤の正面図。
【図４】本発明に係る遊技機用可動演出装置の前面の斜視図。
【図５】本発明に係る遊技機用可動演出装置の背面の斜視図。
【図６】本発明に係る遊技機用可動演出装置の正面図。
【図７】本発明に係る遊技機用可動演出装置の背面図。
【図８】本発明に係る遊技機用可動演出装置の部分断面背面図。
【図９】本発明に係る遊技機用可動演出装置の前面の分解斜視図。
【図１０】図９の第１基部材と第２基部材の拡大斜視図。
【図１１】本発明に係る遊技機用可動演出装置の背面の分解斜視図。
【図１２】本発明に係る遊技機用可動演出装置の作動状態の前面の斜視図。
【図１３】本発明に係る遊技機用可動演出装置の作動状態の背面の斜視図。
【図１４】本発明に係る遊技機用可動演出装置の作動状態の正面図。
【図１５】本発明に係る遊技機用可動演出装置の作動状態の背面図。
【図１６】本発明に係る遊技機用可動演出装置の作動状態の部分断面背面図。
【図１７】本発明の他の実施形態を示す遊技機用可動演出装置の要部の正面図。
【図１８】本発明の他の実施形態を示す遊技機用可動演出装置の要部の背面図。
【発明を実施するための形態】
【０００８】
次に一例としてパチンコ遊技機の遊技盤に本発明に係る可動演出装置を設けた実施形態を図面に従い説明する。この遊技盤１は、図１、図２に実線で示したように、外レール２および内レール３によって囲われた遊技領域４が前面に形成され、該遊技領域４に多数本の遊技球誘導釘５や遊技球誘導用風車６が設けられているほか、通過チャッカー７、普通入賞口８、電動可変入賞装置９、電動開閉大入賞口１０、アウト球流出口１１等が設けられ、図示しない遊技球発射装置から発射された遊技球が外レール２に案内されて遊技領域４に飛翔し、該遊技領域４を自重によって流下した遊技球がこれらの入賞口、或いはアウト球流出口１１に導かれる。１５は該遊技盤１の中央部に開設された大口径の窓孔、１６は該窓孔に合致するように設けられた飾枠である。１７は該窓孔１５に臨むように該遊技盤１の裏側に設けられた大型の液晶表示装置、１７ａは該液晶表示装置１７を支持する裏カバー部材である。そして、本発明に係る可動演出装置２０は、該遊技盤１と該液晶表示装置１７との間に配設される。１８、１９は該飾枠に設けられた表示ランプである。
このように可動演出装置２０は遊技盤１の裏側に設けられることから、図１に該可動演出装置２０は主として破断線で示され、該可動演出装置２０の一部が窓孔１５の周縁部に実線で示される。そして、図３に示したように、該可動演出装置２０は、作動したときに、液晶表示装置１７の前面に現われ、遊技者に見られるようになる。
【０００９】
次いで、この可動演出装置２０の構成を図４〜図１０に従い説明する。２１は該可動演出装置２０が組み付けられる略長方形状の基板である。該基板２１は略長方形状の表板材２２と裏板材２３とから中空箱状に形成され、該表板材２２に左右対称なるように一対の横長状のガイド孔２７ａ，２７ｂが形成され、裏板材２３にも同様の一対のガイド孔２８ａ，２８ｂが形成される。２９ａ，２９ｂは、該基板２１内に配設された一対の棒状のラックで、該各ラックは、それぞれ表板材２２の裏面に形成されたガイドレール３２ａ，３２ｂに横方向に摺動自在に遊嵌される。そして、該ラック２９ａの一端部に形成された貫孔２６ａに支軸３０ａが貫挿され、該支軸３０ａの端部に摩擦を軽減するコロローラ３１ａが取着され、該コロローラ３１ａをガイド孔２８ａに遊嵌することにより該ラック２９ａをガイド孔２８ａおよび前記ガイドレール３２ａに沿って内外方に摺動可能なるようにしている。また同様に、前記ラック２９ｂの一端部に形成された貫孔２６ｂに支軸３０ｂを貫挿し、該支軸３０ｂの端部に摩擦を軽減するコロローラ３１ｂを取着し、該コロローラ３１ｂをガイド孔２８ｂに遊嵌することにより、該ラック２９ｂをガイド孔２８ｂおよび前記ガイドレール３２ｂに沿って内外方に摺動可能なるようにしている。なお、２４はラック２９ｂを内方に付勢するべく基板２１内に張設した引張バネである。
【００１０】
３３はラック２９ａおよびラック２９ｂに噛合するように該基板２１内の長手方向中央部に軸支したピニオン、３４は該ピニオン３３と噛合するように該基板２１内に軸支した中継歯車である。３５は第１電気的駆動源たるステッピングモータで、該モータ３５は減速機３６と共に表板材２２に固設され、該減速機３６の出力軸に設けた中継歯車３７を前記中継歯車３４に噛合させている。このため該モータ３５を作動させると、ピニオン３３が回転し、ラック２９ａとラック２９ｂとを同時に内外いずれかの方向に摺動させる。なお、２５ａはラック２９ｂが内方に摺動した際にその摺動至端を検知するべく基板２１内に設けたセンサ、２５ｂはラック２９ｂが外方に摺動した際にその摺動至端を検知するべく基板２１内に設けたセンサである。
【００１１】
また、４１ａ，４１ｂは基板２１の表側に配置された一対のＬ字形の支持アーム、４４ａ，４４ｂは該支持アームの上端部に設けられた可動飾部材で、該支持アーム４１ａ，４１ｂの水平辺部に形成された長孔４２ａ，４２ｂに前記支軸３０ａ，３０ｂを遊嵌するとともに、該支持アーム４１ａ，４１ｂの上方起立辺部に長孔３９ａ，３９ｂおよび長孔４３ａ，４３ｂを形成し、該長孔３９ａ，３９ｂに該可動飾部材４４ａ，４４ｂの背面に突設された支軸４５ａ，４５ｂを遊嵌し、該長孔４３ａ，４３ｂに該可動飾部材４４ａ，４４ｂの背面に突設された支軸４６ａ，４６ｂを遊嵌している。なお、該支軸４５ａ，４５ｂおよび支軸４６ａ，４６ｂは、長孔３９ａ，３９ｂ，４３ａ，４３ｂの内面との摩擦を軽減するためにコロローラ付のものとしている。そして前記表板材２２の両端部寄り上部に斜めにガイド孔４７ａ，４７ｂが形成され、該ガイド孔４７ａ，４７ｂに支軸４６ａ，４６ｂに付設されたコロローラを遊嵌している。このため、前記ラック２９ａ，２９ｂが左右に摺動するのに伴い支持アーム４１ａ，４１ｂが左右に動くことで、可動飾部材４４ａ，４４ｂはガイド孔４７ａ，４７ｂに沿って斜め上下方向に動き得る。なお、可動飾部材４４ａ，４４ｂは、図示したような動物形とするほか、任意の図形、キャラクター等とすることができる。
【００１２】
また、基板２１の前面中央に取付板５０を固設し、該取付板５０にリニヤ軸受５１を垂直に取り付け、該リニヤ軸受５１により十字形の支持部材５２を昇降可能に支持している。該支持部材５２の上部横梁の両端部には長孔５３ａ，５３ｂが形成される。
５４ａは略半円板形の第１基部材、５４ｂは該第１基部材５４ａと相対するように略半円板形に形成された第２基部材で、該第１基部材５４ａと第２基部材５４ｂとは枢着軸５５によって一平面内にて互いに開閉自在なるように枢着されている。なお、第１基部材５４ａには後述するように第２電気的駆動源たるステッピングモータ８０が設けられる。また、第１基部材５４ａの裏面上部に支軸５６ａを突設し、該支軸５６ａの端部に摩擦を軽減するコロローラ５７ａを取着し、該コロローラ５７ａを前記長孔５３ａに遊嵌するとともに、第２基部材５４ｂの裏面上部に支軸５６ｂを突設し、該支軸５６ｂの端部に摩擦を軽減するコロローラ５７ｂを取着し、該コロローラ５７ｂを前記長孔５３ｂに遊嵌している。また、第１基部材５４ａの裏面下部に前記支軸３０ａが突設され、第２基部材５４ｂの裏面下部に前記支軸３０ｂが突設されている。このため、前述したようにモータ３５を作動させ、ラック２９ａとラック２９ｂとを互いに外方に摺動させ、支軸３０ａと支軸３０ｂとの間隔を広げると、図４〜図８に示したように、第１基部材５４ａと第２基部材５４ｂとが枢着軸５５を支点として一平面内で開動する。反対にラック２９ａとラック２９ｂとが内方に摺動し支軸３０ａと支軸３０ｂとの間隔が狭まると、図１３〜図１６に示したように、第１基部材５４ａと第２基部材５４ｂとが枢着軸５５を支点として一平面内で閉動する。このように第１基部材５４ａと第２基部材５４ｂが開閉動する際、前記支持部材５２は、自在に昇降動し、支軸５６ａ，５６ｂを介して該第１基部材５４ａと第２基部材５４ｂを背面から支持している。なお、５９ａ，５９ｂは、第１基部材５４ａと第２基部材５４ｂの閉動時の位置決めのために該第１基部材５４ａと第２基部材５４ｂの合着縁に形成された爪片と該爪片の合致部である。
【００１３】
６０ａ，６０ｂは、枢着軸６１によって一平面内にて互いに開閉自在なるように枢着された略半円板形の第１装飾体と第２装飾体で、該第１装飾体６０ａの中心部に回転軸６２が裏面に突出するように固設され、該回転軸６２を前記第１基部材５４ａの中心部に設けられた軸受箱６４中に貫挿することで、該回転軸６２を回転自在に支持している。
また、第１基部材５４ａと第１装飾体６０ａとの間に円弧状軌道を介設することにより、第１装飾体６０ａを第１基部材５４ａの前面に回転可能に配設している。即ち、図１０に示したように、第１基部材５４ａに放射状に開設された半径方向の長孔５８ａ，５８ａにそれぞれコロローラ６５ａ，６６ａを引張バネ６８ａ，６９ａによって該第１装飾体６０ａの中心方向に向けて付勢して配設するとともに、図１１に示されるように該第１装飾体６０ａの裏面にレール７１ａを円弧状に配設し、該レール７１ａにコロローラ６５ａ，６６ａを引張バネ６８ａ，６９ａの張力によって弾性的に係着させる。このようにして第１装飾体６０ａを第１基部材５４ａの前面に回転可能に配設する。なお、前記枢着軸６１は回転により前記枢着軸５５の前方延長線上に位置し得るように該枢着軸６１と枢着軸５５とはこれらの回転中心から等距離なるように配設する。
図９〜図１１に示されるように、８０は第１装飾体６０ａを回転動させるために第１基部材５４ａの背面に固設された第２電気的駆動源たるステッピングモータで、該モータ８０の出力軸に歯車８２を設け、該歯車８２を前記軸受箱６４内にて回転軸６２に固設した歯車（図示されず）に噛合させている。なお、図示されないこの歯車には同芯状に筒状部が形成され、該筒状部の一部に切欠が形成され、該切欠を光学的に検出するセンサが該軸受箱６４内に配設されている。このため該センサによって該回転軸６２の回転位置（即ち、第１装飾体６０ａの回転位置）を検出し得るようにしている。
また、第２装飾体６０ｂについても、前記第２基部材５４ｂの前面に円弧状軌道を介設することにより回転可能に配設される。即ち、第２基部材５４ｂに放射状に開設した半径方向の長孔５８ｂ，５８ｂ，５８ｂにそれぞれコロローラ６５ｂ，６７ｂを引張バネ６８ｂ，７０ｂによって中心方向に付勢して配設するとともに、コロローラ６６ｂを引張バネ６９ｂによって外周方向に付勢して配設し、第２装飾体６０ｂの裏面にレール７１ｂを円弧状に配設し、該レール７１ｂにコロローラ６５ｂ〜６７ｂを引張バネ６８ｂ〜７０ｂの張力によって弾性的に係着させている。
【００１４】
なお、第１基部材５４ａ、第２基部材５４ｂ、第１装飾体６０ａ、第２装飾体６０ｂは、図示したような半円形でなくても任意の形状とすることができ、例えば、人気キャラクタをペアで表すハート形にするといったこともできる。或いは、個々の遊技機のテーマに則して、サッカーボール、くす玉、てんとう虫、等を表したり、ルーレット盤形、射的盤形、ロボット形、花形、地球形、太陽系図形、等様々な図形、形状とすることができる。また、ミラーボールのような演出をするために、第１装飾体６０ａ、第２装飾体６０ｂにＬＥＤ等の発光体（図示せず）を付設するとともに、該発光体を覆うようにさらに任意形状の透光性の表装板を設け、該発光体により該表装板を光輝させることもできる。
【００１５】
このように構成した可動演出装置は、図４〜図８に示したように、支軸３０ａと支軸３０ｂとの間隔が広いとき、第１基部材５４ａの前面に第１装飾体６０ａが位置し、第２基部材５４ｂの前面に第２装飾体６０ｂが位置していて、第１装飾体６０ａと第２装飾体６０ｂとの枢着軸６１が第１基部材５４ａと第２基部材５４ｂとの枢着軸５５の前方延長線上に位置していることから、該第１基部材５４ａと第２基部材５４ｂとが枢着軸５５を支点として開き、第１装飾体６０ａと第２装飾体６０ｂとは枢着軸６１を支点として開いた状態にある。そのとき該第１装飾体６０ａと第２装飾体６０ｂとは、図１に示したように、大半が遊技盤１の裏側に隠れ、可動飾部材４４ａ，４４ｂについても大半が遊技盤１の裏側に隠れた状態となる。このように第１基部材５４ａと第２基部材５４ｂ、第１装飾体６０ａと第２装飾体６０ｂとを開状態とすると、閉状態としたときと比べて、横幅は増すものの、高さは小さくなる。このため、図１に示したように電動可変入賞装置９の入賞球排出通路（図示せず）等を邪魔することなく、大型の第１装飾体６０ａ，第２装飾体６０ｂを狭いスペースに配置することができる。
【００１６】
そして、第１電気的駆動源たるモータ３５を作動させ、支軸３０ａと支軸３０ｂとの間隔を狭めると、図１３〜図１６に示したように、第１基部材５４ａと第２基部材５４ｂとが第１装飾体６０ａと第２装飾体６０ｂとともに閉じ、図３に示したように、液晶表示装置１７の前面に該第１装飾体６０ａと該第２装飾体６０ｂが現われ、その両側に可動飾部材４４ａ，４４ｂも現われる。該可動飾部材４４ａ，４４ｂはガイド孔４７ａ，４７ｂに沿って移動することから両側から斜め下方に向けて移動しつつ現われる。なお、第１基部材５４ａと第２基部材５４ｂとは、閉じる際に前記爪片５９ａが合致部５９ｂに合着する。また、第１装飾体６０ａと第２装飾体６０ｂとが閉状態となると、前記レール７１ａとレール７１ｂとが環状に連なる。そこで、第２電気的駆動源たるモータ８０を作動させて前記歯車８２を中継して前記回転軸６２を回転させることで、第１装飾体６０ａと第２装飾体６０ｂとを図１４に矢印で示したように閉状態にて一体的に回転させる。そのとき、第１装飾体６０ａと第２装飾体６０ｂとは閉状態にて第１基部材５４ａと第２基部材５４ｂの前面にて左右いずれの方向にも周回し、第１基部材５４ａの前面から第２基部材５４ｂの前面に亘って何ら拘束を受けることなく何回でも周回し得る。なお、前記コロローラ６５ａ，６６ａ，６５ｂ〜６７ｂは環状に連なったレール７１ａ，７１ｂに対し引張バネ６８ａ，６９ａ，６８ｂ〜７０ｂによって弾性的に係着しているので、第１基部材５４ａと第２基部材５４ｂとの合着および第１装飾体６０ａと第２装飾体６０ｂとの合着に多少のズレが生じたとしても、その弾性によってズレが吸収され、一つの駆動源（モータ８０）だけで大きな第１装飾体６０ａと第２装飾体６０ｂとを閉状態を保ちつつスムースに周回させることができる。
【００１７】
このように該第１装飾体６０ａと第２装飾体６０ｂとは合着状態（閉状態）とすることで大径となった物体が、その合着を契機として自由に周回（自転）するので、そのダイナミックな動きが遊技者に強い関心を与える。また、モータ８０を逆回転させれば、第１装飾体６０ａと第２装飾体６０ｂとは逆方向にも周回する。このように第１装飾体６０ａと第２装飾体６０ｂとは合着状態となることであたかも解き放たれた物体のように自由に周回するといった思いがけない動きをするので、こうした動きが例えば該液晶表示装置１７に変動表示された図柄がリーチ状態となり大当たりを招来させる際に行われるようにするなど、液晶表示装置１７の表示と連動させることで、遊技者に一層強いインパクトを与えることができる。
【００１８】
また、モータ８０が停止することで第１装飾体６０ａと第２装飾体６０ｂの回転は停止し、その停止の際に軸受箱６４内に設けられた前記センサからの信号により枢着軸６１が枢着軸５５の前方延長線上に位置するようにモータ８０が停止されることにより、第１基部材５４ａの前面に第１装飾体６０ａが重なり、第２基部材５４ｂの前面に第２装飾体６０ｂに重なった状態となる。その状態で第１電気的駆動源たる前記モータ３５を逆回転させ、支軸３０ａと支軸３０ｂとの間隔を広くすることで、第１装飾体６０ａと第２装飾体６０ｂとは再び図４〜図８に示した開状態に戻り、該第１装飾体６０ａ，６０ｂおよび可動飾部材４４ａ，４４ｂが図１に示したように遊技盤１の裏側に隠れる。これにより遊技者は再び大型の液晶表示装置１７の略々全面が見られるようになる。なお、モータ８０を停止させた際に枢着軸６１が枢着軸５５の前方延長線上から多少はズレていたとしても、前記コロローラ６５ａ，６６ａ，６５ｂ〜６７ｂがレール７１ａ，７１ｂに弾性的に係着していることから、そのズレによる影響が該各コロローラの弾性的動きによって吸収され、第１装飾体６０ａと第２装飾体６０ｂとは常にスムースに開状態に戻り得る。
【００１９】
一方、図１７、図１８は本発明の他の実施形態を示すもので、この実施形態では、図１８に示したように第１基部材５４ａと第２基部材５４ｂをそれぞれ枢着軸５５ａ，５５ｂによって幹基部材９０に開閉自在に枢着するとともに、図１７に示したように第１装飾体６０ａと第２装飾体６０ｂをそれぞれ枢着軸６１ａ，６１ｂによって幹装飾体９１に開閉自在に枢着している。即ち、基部材を幹基部材９０と第１基部材５４ａと第２基部材５４ｂとに３分割するとともに、装飾体を幹装飾体９１と第１装飾体６０ａと第２装飾体６０ｂとに３分割している。なお、幹基部材９０は昇降可能なるように支持部材９２に支持され、第１基部材５４ａと第２基部材５４ｂはそれぞれ支軸３０ａと支軸３０ｂにより支持され、幹装飾体９１と第１装飾体６０ａと第２装飾体６０ｂは、該幹基部材９０と第１基部材５４ａと第２基部材５４ｂとの相対する面に設けられた複数のコロローラ，円弧状レール等からなる円弧状軌道により回転自在に配設している。その他の構成は前記実施形態と同様である。この実施形態の場合も第１電気的駆動源たるモータ３５を作動させ支軸３０ａと支軸３０ｂとの間隔を可変することにより第１基部材５４ａと第２基部材５４ｂおよび第１装飾体６０ａと第２装飾体６０ｂとが開閉動し、図中２点鎖線で示したように該第１基部材５４ａと第２基部材５４ｂおよび第１装飾体６０ａと第２装飾体６０ｂとを閉状態としたときに、該第１基部材５４ａに設けられた第２電気的駆動源たるモータ８０を作動させることにより、該第１基部材５４ａと第２基部材５４ｂおよび幹基部材９０の前面にて該幹装飾体９１と第１装飾体６０ａと第２装飾体６０ｂとが図１７に２点鎖線の矢印で示したように周回し得るようになる。
【００２０】
なお、これらの実施形態では、枢着軸５５，５５ａ，５５ｂおよび枢着軸６１，６１ａ，６１ｂ等を設けることにより、第１基部材５４ａ，第２基部材５４ｂおよび第１装飾体６０ａ，第２装飾体６０ｂが開閉動するようにしたが、第１基部材５４ａ，第２基部材５４ｂおよび第１装飾体６０ａ，第２装飾体６０ｂを枢着することなく、例えばガイドレール（図示しない）に沿って第１基部材と第２基部材とをそれぞれ一平面上にて接離自在なるように配設し、第１電気的駆動源たるモータを作動させることで、該第１基部材と第２基部材とが接離するようにし、該第１基部材と第２基部材とを合着させることで該第１基部材と第２基部材の前面に設けた第１装飾体と第２装飾体も合着し、その合着状態にて第２電気的駆動源を作動させることにより該第１装飾体と第２装飾体とが該第１基部材の前面および第２基部材の前面にて周回するように構成してもよい。その場合、第１装飾体と第２装飾体とが分離状態で遊技盤の裏面に隠れるようにするとともに、液晶表示装置の前面にて該第１装飾体と第２装飾体とが合着して周回するようにできる。いずれにしても、本発明によれば、装飾体を第１装飾体と第２装飾体とに分割したことにより、遊技盤内の狭いスペースに大きな第１装飾体と第２装飾体とを分離状態で容易に配設することができるとともに、合着することで大きくなった装飾体を周回させ遊技者に注意を喚起させることができる。このため本発明に係る可動演出装置は、パチンコ遊技機、雀球遊技機、アレンジボール遊技機等の遊技機に設けることで顕著な演出効果を奏し得る。
【００２１】
このように本発明に係る可動演出装置は、第１基部材と第２基部材とが第１電気的駆動源を作動させることにより接離し、その合着状態にて第２電気的駆動源を作動させることにより該第１基部材と第２基部材の前面に設けられた第１装飾体と第２装飾体とが周回するので、遊技者にその斬新な動きが興味深く観察され、その一連の動きを大当たりの発生等、ゲームの進行状態と関連させることにより、パチンコ遊技機等の遊技機の好趣を大幅に向上させることができる。
【００２２】
なお、この実施形態では、第１基部材５４ａと第２基部材５４ｂの前面にコロローラ６５ａ，６６ａ，６５ｂ〜６７ｂを設け、第１装飾体６０ａと第２装飾体６０ｂの裏面にレール７１ａ，７１ｂを設けたが、第１基部材５４ａと第２基部材５４ｂの前面にレール７１ａ，７１ｂを設け、第１装飾体６０ａと第２装飾体６０ｂの裏面にコロローラ６５ａ，６６ａ，６５ｂ〜６７ｂを設けることもできる。要するに、第１基部材５４ａおよび第２基部材５４ｂと、第１装飾体６０ａおよび第２装飾体６０ｂとの間に、円弧状軌道を介設し、該第１装飾体６０ａおよび第２装飾体６０ｂを背面から回転可能に支持したことにより、遊技機の前方からその構造がよく分からなくできるので、遊技者から見て意外な動きをさせることができる。
【００２３】
また、この実施形態では第１基部材５４ａと第２基部材５４ｂおよび第１装飾体６０ａと第２装飾体６０ｂとを開状態または分離状態として窓孔１５の下辺に隠れるようにしたが、本発明の可動演出装置は、このように開状態または分離状態とすることで、外径を小さくできスペースを要さなくなるので、上下左右いずれの辺に隠すことも容易になる。
また、この実施形態では枢着軸５５，６１を上部に設けることで両装飾体６０ａ，６０ｂが下方に向かって開閉するようにしたが、両装飾体を上下左右いずれの方向に向かって開閉するようにしてもよい。また、両装飾体を接離させる場合、その接離の方向についても左右方向に限らず、上下方向に接離するようにしてもよい。
要するに、これらの事項は、この可動演出装置を取り付ける遊技機のテーマやキャラクター等に応じて適宜設定し得る。
【符号の説明】
【００２４】
１                                遊技盤
４                                遊技領域
１５                              窓孔
１６                              飾枠
１７                              液晶表示装置
２０                              可動演出装置
２１                              基板
２７ａ，２７ｂ，２８ａ，２８ｂ    ガイド孔
２９ａ，２９ｂ                    ラック
３０ａ，３０ｂ                    支軸
３３                              ピニオン
３５                              第１電気的駆動源（モータ）
５２                              支持部材
５４ａ                            第１基部材
５４ｂ                            第２基部材
５５                              枢着軸
５６ａ，５６ｂ                    支軸
６０ａ                            第１装飾体
６０ｂ                            第２装飾体
６１                              枢着軸
６２                              回転軸
６５ａ，６６ａ，６５ｂ，６７ｂ    コロローラ
７１ａ，７１ｂ                    レール（円弧状軌道）
８０                              第２電気的駆動源（モータ）
９０                              幹基部材
９１                              幹装飾体
【図１】
2015144707.tif 000003
【図２】
2015144707.tif 000004
【図３】
2015144707.tif 000005
【図４】
2015144707.tif 000006
【図５】
2015144707.tif 000007
【図６】
2015144707.tif 000008
【図７】
2015144707.tif 000009
【図８】
2015144707.tif 000010
【図９】
2015144707.tif 000011
【図１０】
2015144707.tif 000012
【図１１】
2015144707.tif 000013
【図１２】
2015144707.tif 000014
【図１３】
2015144707.tif 000015
【図１４】
2015144707.tif 000016
【図１５】
2015144707.tif 000017
【図１６】
2015144707.tif 000018
【図１７】
2015144707.tif 000019
【図１８】
2015144707.tif 000020